(57)【特許請求の範囲】
【請求項１】
カラーデータの送受信を行うファクシミリ装置において、
送信データの圧縮を行うとき、圧縮率が予め設定した任意の値の近似値になるように、量子化を行う際にパラメータの調節を行いながら、カラーデータ圧縮を行う符号化・復号化部と、
最初のパラメータでの圧縮結果が、予め設定した任意の圧縮率の近似値にならなかったと判断したとき、オペレータに再圧縮を行うか否かの判断を求めるためのメッセージを操作表示部に表示させるシステム制御部と、を有し、
前記符号化・復号化部は、最初のパラメータでの圧縮結果が、予め設定した任意の圧縮率の近似値にならなかったとき、画質を優先させてそのまま送信する画質優先モードと、通信時間を優先させて圧縮率を向上させる圧縮パラメータを用い際圧縮させる通信時間優先モードと、を備え、
前記操作表示部は、前記２モードのいずれかを予め設定する手段を有することを特徴とするファクシミリ装置。
【請求項２】
前記操作表示部は、通信時間優先モードで使用する圧縮パラメータの圧縮率を高める上限値を選択設定する手段を有することを特徴とする請求項１記載のファクシミリ装置。
【発明の詳細な説明】
【０００１】
【発明の属する技術分野】
本発明は、カラーデータの送受信を行うファクシミリ装置に関するものである。
【０００２】
【従来の技術】
従来のファクシミリ装置においては、例えば、特開平９−１０７４８１号公報に示されているように、カラーデータ圧縮の際、量子化等のパラメータを変更して、画データの圧縮率を調整する手段を備えたものがあり、この手段を使用して圧縮データを作成、送信するようになっている。また、従来のファクシミリ装置においては、カラーデータを圧縮する際、量子化パラメータの変更が可能になっている。
【０００３】
【発明が解決しようとする課題】
しかしながら、従来技術は、カラーデータを圧縮する際に、圧縮データを再生した場合、どのような画像が得られるかオペレータが確認するためのものであり、設定したパラメータは、圧縮する画データに依存することなく常に一定であるため、圧縮率は画像の種類によってしまう。そのため、圧縮率が低い画像と高い画像では、データ量と送信時間に大きな差異がでることが懸念される。
【０００４】
本発明は、係る従来技術の問題を解消するためになされたものであり、オペレータが、画質優先か通信時間優先か判断し、通信コストとデータ量に即したリーズナブルな通信を実現できるファクシミリ装置を提供することを目的とする。
【０００５】
【課題を解決するための手段】
上記目的を達成するための、請求項１記載の発明は、カラーデータの送受信を行うファクシミリ装置において、送信データの圧縮を行うとき、圧縮率が予め設定した任意の値の近似値になるように、量子化を行う際にパラメータの調節を行いながら、カラーデータ圧縮を行う符号化・復号化部と、最初のパラメータでの圧縮結果が、予め設定した任意の圧縮率の近似値にならなかったと判断したとき、オペレータに再圧縮を行うか否かの判断を求めるためのメッセージを操作表示部に表示させるシステム制御部と、を有し、前記符号化・復号化部は、最初のパラメータでの圧縮結果が、予め設定した任意の圧縮率の近似値にならなかったとき、画質を優先させてそのまま送信する画質優先モードと、通信時間を優先させて圧縮率を向上させる圧縮パラメータを用い際圧縮させる通信時間優先モードと、を備え、前記操作表示部は、前記２モードのいずれかを予め設定する手段を有することを特徴とするファクシミリ装置である。
【０００７】
請求項２記載の発明は、請求項１記載のファクシミリ装置において、前記操作表示部は、通信時間優先モードで使用する圧縮パラメータの圧縮率を高める上限値を選択設定する手段を有することを特徴とする。
【０００８】
【発明の実施の形態】
以下、図面により本発明の実施の形態を詳細に説明する。図１は本発明の一実施形態に係るファクシミリ装置のシステムブロック図を示している。同図において、スキャナ１は原稿画像を所定の解像度で読みとるためのものである。また、操作表示部２はファクシミリ装置を操作するために必要な各種のキーおよび各種の操作ガイダンス用メッセージや時刻表示等を表示する表示器等からなるものである。
【０００９】
さらに、符号化・復号化部３は画信号を符号化・圧縮するとともに、符号化・圧縮された画情報をもとの画信号に復号化するためのものであり、システム制御部４はファクシミリ装置内部の処理および各要素の処理を行うためのものであり、プロッタ５は記録画像を所定の解像度で記録出力するためのものであり、通信制御部６は所定のファクシミリ伝送手順を実行するためのものであり、網制御部７は公衆通信網を使用してデータ通信を行うためのものであり、メモリ８は画データ等の格納および各種制御に必要な情報を保持するためのものである。
【００１０】
スキャナ１〜メモリ８はバスライン９を通して必要なデータのやりとりを行っている。また、ハンドセット１０は相手局との打ち合わせ等のために使用されるものである。
【００１１】
図２は本発明のカラーデータ圧縮の際の制御内容の一例を示すフローチャートである。このフローはシステム制御部４の制御プログラムにより実行される。本実施形態に係るファクシミリ装置は、予め画質優先モードで通信を行うか、通信時間優先モードで通信を行うかを操作表示部２より設定する（Ｓ２０１) 。次に画質をオペレータの希望以上に劣化させないために最大圧縮効率パラメータの設定を行う（Ｓ２０２) 。
【００１２】
画像のスキャンの開始がオペレータによって操作表示部２よりなされると（Ｓ２０３) 、予め設定された圧縮率に対応する予め用意してあるデフォルトの圧縮パラメータを使用して（Ｓ２０４) 、符号化・復号化部３でデータ圧縮を行う（Ｓ２０５) 。Ｓ２０４において、予め設定された圧縮率とは、オペレータにより操作表示部２から予め設定されたり、通信媒体、例えばＰＳＴＮ、ＩＳＤＮ等の差異によって、予めファクシミリ装置内に選択設定するパラメータがあり、それによって設定されるものである。
【００１３】
次に、Ｓ２０５で生成した圧縮データの圧縮率と設定された圧縮率を比較し、両者の圧縮率が任意に設定された範囲内に納まっていれば圧縮作業を終了し、納まっていなければ、操作表示部２からのメッセージでオペレータの判断を仰ぎ、画質劣化を許容し、圧縮率を高めるとオペレータが判断した場合や、予め通信時間優先モードに設定されている場合で（Ｓ２０８) 、現時点で使用されている圧縮パラメータが、Ｓ２０２で設定された最大圧縮効率パラメータより圧縮効率が低いものであった場合は（Ｓ２０９) 、再度圧縮パラメータを選択し直し、再圧縮を行う (Ｓ２１０) 。  圧縮データが、所望の圧縮率の範囲内に納まれば、圧縮作業を終了し、圧縮データの送信を行う (Ｓ２０７) 。
【００１４】
本実施形態では、カラーデータを送信する際、圧縮効率の高い画像の画質を必要以上に損なうことなく、圧縮効率の高くない画像に対してもオペレータの判断で、任意の圧縮率の範囲内に画像を圧縮したり、あるいは画質を優先させ適当な圧縮を行うため、常に使用状況に応じた、通信コストとデータ量においてリーズナブルな通信を実現できる。また、本発明は、カラーデータの送受信を行う手段を備えたデータ伝送装置にも応用できる。
【００１５】
【発明の効果】
以上説明したように、本発明によれば、カラーデータを送信する際、圧縮効率の低い画像に対して、オペレータが、画質優先か通信時間優先か判断し、通信コストとデータ量においてリーズナブルな通信を実現できるため、操作性の向上と通信コストの削減を図ることができる。
【００１６】
また、本発明によれば、上記の効果に加え、予めオペレータにより画質優先モード、通信時間優先モードを任意に設定できるため、操作性の向上を図ることができる効果がある。
【００１７】
また、本発明によれば、上記の効果に加え、通信時間優先モードでもオペレータの希望以上の画質劣化を防ぐことができるため、受信画像品質の維持を図ることができる効果がある。
【図面の簡単な説明】
【図１】本発明の一実施形態に係るファクシミリ装置のシステムブロック図である。
【図２】本発明のカラーデータ圧縮の際の制御内容の一例を示すフローチャートである。
【符号の説明】
１  スキャナ
２  操作表示部
３  符号化・復号化部
４  システム制御部
５  プロッタ
６  通信制御部
７  網制御部
８  メモリ
９  バスライン
【図１】
0003940594.tif 000002
【図２】
0003940594.tif 000003